【手続補正書】
【提出日】平成21年10月5日(2009.10.5)
【手続補正１】
【補正対象書類名】特許請求の範囲
【補正対象項目名】全文
【補正方法】変更
【補正の内容】
【特許請求の範囲】
【請求項１】
室内の空気を吸い込む吸い込み口と、空気調和した空気を室内に吹き出す吹き出し口と、吸い込み口と吹き出し口とを連通させる送風経路に配置されて吸い込み口から吸い込んだ空気を吹き出し口から吹き出すように送風する送風手段と、上記送風経路に配置されて吸い込み口から吸い込まれた空気と熱交換する熱交換器とを備えた空気調和機において、放電電極と、放電電極に水を供給する水供給手段を備えると共に、放電電極に高電圧を印加することで放電電極に保持されている水を静電霧化させる静電霧化手段を有し、この静電霧化手段の水供給手段として空気中の水分を基に放電電極部分に水が生成されるようにするために冷却部と放熱部とを有する冷却源の冷却部側に上記放電電極を設けたことを特徴とする空気清浄機能付き空気調和機。
【請求項２】
前記静電霧化手段は放電電極と対向して位置する対向電極を備え、対向電極と印加電極との間に高電圧を印加することで放電電極に保持されている水を静電霧化させるものであることを特徴とする請求項１に記載の空気清浄機能付き静電霧化装置。
【請求項３】
吸い込み口と吹き出し口を連通させる送風経路における吹き出し口の近傍に静電霧化手段を配設し、熱交換器を通って調和された空気の流れに、静電霧化手段により生じた静電ミストを含む空気を供給して混合するようにしたことを特徴とする請求項１又は請求項２に記載の空気清浄機能付き空気調和機。
【請求項４】
吸い込み口と吹き出し口を連通させる送風経路における吸い込み口の近傍に静電霧化手段を配設し、吸い込み口から吸い込んだ空気の流れに、静電霧化手段により生じた静電ミストを含む空気を供給して混合するようにしたことを特徴とする請求項１又は請求項２に記載の空気清浄機能付き空気調和機。
【請求項５】
水供給手段としての冷却源の冷却部側に設けた放電電極が吹き出し口近傍に、放熱部が吸い込み口近傍になるように静電霧化手段を配設したことを特徴とする請求項１又は請求項２に記載の空気清浄機能付き空気調和機。
【請求項６】
静電霧化手段にて生じた静電ミストを含む空気の供給を、送風経路の吸い込み口の近傍または吹き出し口の近傍へと切り替え可能にしたことを特徴とする請求項１又は請求項２に記載の空気清浄機能付き空気調和機。
【請求項７】
静電霧化手段にて生じた静電ミストを含む空気を、送風経路の吸い込み口の近傍と吹き出し口の近傍の双方に供給するようにしたことを特徴とする請求項１又は請求項２に記載の空気清浄機能付き空気調和機。
【請求項８】
静電霧化手段にて生じた静電ミストを含む空気が、吹き出し口より吹き出される空気の吹き出し風に向かって供給されるように静電霧化手段を配置したことを特徴とする請求項３記載の空気清浄機能付き空気調和機。
【手続補正２】
【補正対象書類名】明細書
【補正対象項目名】００１１
【補正方法】変更
【補正の内容】
【００１１】
上記課題を解決するために本発明の空気清浄機能付き空気調和機は、室内の空気を吸い込む吸い込み口１と、空気調和した空気を室内に吹き出す吹き出し口２と、吸い込み口１と吹き出し口２とを連通させる送風経路３に配置されて吸い込み口１から吸い込んだ空気を吹き出し口２から吹き出すように送風する送風手段と、上記送風経路３に配置されて吸い込み口１から吸い込まれた空気と熱交換する熱交換器５とを備えた空気調和機において、放電電極８と、放電電極８に水を供給する水供給手段を備えると共に、放電電極８に高電圧を印加することで放電電極８に保持されている水を静電霧化させる静電霧化手段を有し、この静電霧化手段の水供給手段として空気中の水分を基に放電電極部分に水が生成されるようにするために冷却部１０ａと放熱部１０ｂとを有する冷却源１０の冷却部１０ａ側に上記放電電極９を設けたことを特徴とする。
【手続補正３】
【補正対象書類名】明細書
【補正対象項目名】００１３
【補正方法】変更
【補正の内容】
【００１３】
また本発明の請求項２の空気清浄機能付き空気調和機は、請求項１において、前記静電霧化手段は放電電極８と対向して位置する対向電極９を備え、対向電極９と印加電極との間に高電圧を印加することで放電電極８に保持されている水を静電霧化させるものであることを特徴とする。
また本発明の請求項３の空気清浄機能付き空気調和機は、請求項１又は請求項２において、吸い込み口１と吹き出し口２を連通させる送風経路３おける吹き出し口２の近傍に静電霧化手段を配設し、熱交換器５を通って調和された空気の流れに、静電霧化手段により生じた静電ミストＭを含む空気を供給して混合するようにしたことを特徴とする。この場合、空気調和機の送風を利用して静電ミストＭを室内に広く散布することができ、室内の広い範囲に亙って臭気成分を除去することができる。
【手続補正４】
【補正対象書類名】明細書
【補正対象項目名】００１４
【補正方法】変更
【補正の内容】
【００１４】
また本発明の請求項４の空気清浄機能付き空気調和機は、請求項１又は請求項２において、吸い込み口１と吹き出し口２連通させる送風経路３における吸い込み口１の近傍に静電霧化手段を配設し、吸い込み口１から吸い込んだ空気の流れに、静電霧化手段により生じた静電ミストＭを含む空気を供給して混合するようにしたことを特徴とする。この場合、静電ミストＭが送風経路３に生じる臭気成分、とりわけ熱交換器５の上流に散布されることで空気調和機内部の熱交換器５に生じる臭気成分を取り除くことができる。
【手続補正５】
【補正対象書類名】明細書
【補正対象項目名】００１５
【補正方法】変更
【補正の内容】
【００１５】
また本発明の請求項５の空気清浄機能付き空気調和機は、請求項１又は請求項２において、水供給手段としての冷却源１０の冷却部１０ａ側に設けた放電電極８が吹き出し口２近傍に、放熱部１０ｂが吸い込み口１近傍になるように静電霧化手段を配設したことを特徴とする。この場合、熱交換器５との熱交換によって生じる温風を放熱部１０ｂに当てることがないため冷却源１０の性能を安定化することができる。
【手続補正６】
【補正対象書類名】明細書
【補正対象項目名】００１６
【補正方法】変更
【補正の内容】
【００１６】
また本発明の請求項６の空気清浄機能付き空気調和機は、請求項１又は請求項２において、静電霧化手段にて生じた静電ミストＭを含む空気の供給を、送風経路３の吸い込み口１の近傍または吹き出し口２の近傍へと切り替え可能にしたことを特徴とする。この場合、室内の空気中の臭気成分の除去と空気調和機内部に生じた臭気成分の除去が選択的に可能となる。
【手続補正７】
【補正対象書類名】明細書
【補正対象項目名】００１７
【補正方法】変更
【補正の内容】
【００１７】
また本発明の請求項７の空気清浄機能付き空気調和機は、請求項１又は請求項２において、静電霧化手段にて生じた静電ミストＭを含む空気を、送風経路３の吸い込み口１の近傍と吹き出し口２の近傍の双方に供給するようにしたことを特徴とする。この場合、静電霧化手段で発生した静電ミストＭの一部が熱交換器５の上流側に供給されると共に静電ミストＭの残りは室内に散布される。これにより空気調和機内部の熱交換器５に生じる臭気成分を取り除くと共に、室内の臭気成分も除去することができる。
【手続補正８】
【補正対象書類名】明細書
【補正対象項目名】００１８
【補正方法】変更
【補正の内容】
【００１８】
また本発明の請求項８の空気清浄機能付き空気調和機は、請求項３において、静電霧化手段にて生じた静電ミストＭを含む空気が、吹き出し口２より吹き出される空気の吹き出し風に向かって供給されるように静電霧化手段を配置したことを特徴とする。この場合、空気調和機の送風を利用して静電ミストＭを室内に広く散布することができる。
【手続補正９】
【補正対象書類名】明細書
【補正対象項目名】００３２
【補正方法】変更
【補正の内容】
【００３２】
次に図７に示す実施の形態の例について述べる。本例も上記例と基本的に同じであり、異なる点だけを主に述べる。本例の場合、静電霧化ユニットＡにて生じた静電ミストＭを含む空気１９が空気調和機より吹き出される空気の吐出風２０に向かって供給されるように静電霧化ユニットＡを配置した。これにより空気調和機の送風を利用して静電ミストＭを室内に広く散布することができる。